(57)【特許請求の範囲】
【請求項１】
下水処理施設における沈砂槽の底面近傍に設置された水中ミキサーを、タイマー制御によって断続的に駆動する際、正転駆動および逆転駆動を組み合わせることを特徴とする沈砂槽における下水の処理方法。
【発明の詳細な説明】
【０００１】
【発明の属する技術分野】
本発明は、一般家庭から排出される下水、農業集落から排出される下水等を処理するための合併汚水処理施設において、下水を生物化学的処理の前処理として実施される沈砂槽における下水の処理方法に関する。
【０００２】
【従来の技術】
一般家庭や農業集落から排出される下水は、合併下水処理施設において処理されるようになっている。合併下水処理施設では、流入する下水を、沈砂槽に溜めて、砂を取り除いた後に、生物化学的処理槽にて、生物化学的に処理されるようになっている。
【０００３】
沈砂槽では、水中ミキサーを設けて、流入する下水に含まれる糞塊等の異物を撹拌する処理方法が実施されることがある。このような処理方法では、水中ミキサーは、２４時間にわたって連続運転されたり、沈砂槽内に流入する下水が一定量以上になると運転され、一定量以下の場合には運転が停止されるようになっている。
【０００４】
【発明が解決しようとする課題】
水中ミキサーは、このように、沈砂槽内に流入した下水を撹拌するために、連続的に運転されるようになっている。このように、水中ミキサーが連続的に運転されると、沈砂槽内の下水が撹拌されて、所定方向に沿った水流が発生し、糞塊等の異物は下水に溶解されることになる。しかし、下水中に含まれる糞塊等の異物の比重が大きいと、水中ミキサーによっては撹拌されず、底部に堆積するおそれがある。沈砂槽の底部に糞塊等の異物が堆積すると、悪臭が発生する原因になる。
【０００５】
本発明は、このような問題を解決するものであり、その目的は、沈砂槽に糞塊等の異物が堆積することを防止して、悪臭が発生することを防止する沈砂槽における下水の処理方法を提供することにある。
【０００６】
【課題を解決するための手段】
本発明の沈砂槽における下水の処理方法は、下水処理施設における沈砂槽の底面近傍に設置された水中ミキサーを、タイマー制御によって断続的に駆動する際、正転駆動および逆転駆動を組み合わせることを特徴とする。
【０００７】
【発明の実施の形態】
以下、本発明の実施の形態を、図面に基づいて詳細に説明する。
【０００８】
図１は、本発明の下水処理方法が実施される合併下水処理施設の沈砂槽の実施の形態の一例を示す平面図、図２は、図１のＡ−Ａ線における断面図である。
【０００９】
合併処理施設では、一般家庭、農業集落等から排出される下水が、沈砂槽１０に流入されて、この沈砂槽１０にて下水に含まれる砂が沈殿された後に、下水が生物化学的処理槽等に供給されて、生物化学的処理槽等によって生物化学的に処理される。沈砂槽１０は、断面四角形状をしており、その底面１１は、下側になるにつれて中央部が深くなるように傾斜した状態になっている。
【００１０】
沈砂槽１０の一方の側面１２の上端部には、沈砂槽１０内に下水を流入させる流入路２１の下流側端部が接続されている。流入路２１の底面は、沈砂槽１０側になるにつれて順次下側になるように傾斜しており、下水が自然流下によって沈砂槽１０内に流入するようになっている。
【００１１】
沈砂槽１０における流入路２１が設けられた側面１２に対向した側面１３の上端部には、流出路２２の上流側端部が接続されており、沈砂槽１０内にて砂が沈殿された下水が、流出路２２を通って排出される。
【００１２】
沈砂槽１０の上下方向に沿った軸心部には、沈砂槽１０の底部に滞留した砂を排出する沈砂排出機構１４が設けられている。この沈砂排出機構１４は、沈砂槽１０の軸心部に沿って配置された吸引管１４ａと、吸引管１４ａの上端部に取り付けられた沈砂排出ポンプ１４ｂと、沈砂排出ポンプ１４ｂから水平に延出した排出管１４ｃ（図１参照）とを有している。排出管１４ｃの先端部は、沈砂槽１０に隣接して配置された排砂槽２３（図１参照）上に位置している。吸引管１４ａの下端は、沈砂槽１０の底面１１とは適当な間隔があけられており、沈砂排出ポンプ１４ｂが駆動されることによって、沈砂槽１０の底部に溜まった砂が、吸引管１４ａ内に吸引される。吸引管１４ａ内に吸引された砂は、排出管１４ｃを通って排砂槽２３に排出される。
【００１３】
沈砂槽１０における流出路２２が設けられた側面１３の一方のコーナー部には、支持軸１５が上下方向に沿って配置されており、この支持軸１５に水中ミキサー１６がスライド可能に設けられている。この水中ミキサー１６は、モーター１６ａの回転軸に撹拌羽根１６ｂが取り付けられて構成されており、撹拌羽根１６ｂが、沈砂槽１０の軸心に向かった状態で、沈砂槽１０の底面１１よりも少し上に水平状態に支持されている。
【００１４】
このような水中ミキサー１６は、流入路２１から沈砂槽１０内に流入した下水が、流入水量により、タイマー制御によって断続的に運転されるようになっている。すなわち、水中ミキサー１６は、沈砂槽１０において、所定の水量以上に下水が流入した状態になると、タイマーによって設定された数十分程度にわたる駆動と数分程度にわたる停止とが交互に繰り返される。水中ミキサー１６は、例えば、６０分間にわたって駆動されると、１分間にわたって停止されるようにされる。
【００１５】
なお、この場合、水中ミキサー１６の駆動が所定時間にわたって停止された後に、再度、駆動する場合に、水中ミキサー１６を数分程度にわたって逆転駆動させ、その後に、所定時間にわたって正転駆動するようにしてもよい。
【００１６】
沈砂槽１０に流入した下水は、下水内に含まれる比重の大きい砂が、底部に沈殿して堆積されるが、砂よりも比重の軽い糞塊等の異物は、水中ミキサー１６が所定時間にわたって駆動されることにより、撹拌されて下水中に溶解される。このとき、下水に含まれる比較的大きな糞塊等の異物は、水中ミキサー１６によっては撹拌されずに、底部に堆積されるおそれがあるが、水中ミキサー１６がタイマー制御によって断続的に運転されるために、水中ミキサーが停止された後に、再度、駆動されると、水中ミキサー１６の起動時に発生する水流によって、沈砂槽１０の底部に堆積した糞塊等の異物は、上昇する方向に大きな力を受け、異物の位置が変更されたり、水流とともに浮上される。
【００１７】
その結果、比較的比重の大きな糞塊等の異物も下水内に浮遊することになり、水中ミキサー１６の撹拌羽根１６ｂによって撹拌され、下水中に溶解される。このとき、下水内を異物が上昇することによって、水流との接触性および沈砂槽１０の側面との接触性が向上し、しかも、水中ミキサー１６の撹拌羽根１６ｂによる接触性も向上するために、異物は効率よく下水内に溶解される。
【００１８】
また、水中ミキサー１６が停止された後に、再度、水中ミキサー１６を駆動する際に、適当な時間にわたって水中ミキサー１６を逆転駆動させた後に正転駆動させれば、異物は一層効率よく下水内に溶解されることになる。
【００１９】
このように、水中ミキサー１６がタイマー制御によって断続運転することにより、沈砂槽１０内の下水に異物が効率よく溶解される。そして、異物が溶解された下水は、沈砂槽１１内の下水が流出路２２を通って、生物化学的処理槽に供給され、生物化学的処理される。
【００２０】
なお、沈砂槽１１の底部に溜まった砂は、沈砂排出機構１４の沈砂排出ポンプ１４ｂが逐次駆動されることにより、排砂槽２３に排出される。
【００２１】
【発明の効果】
本発明の沈砂槽における下水の処理方法によれば、沈砂槽の底面近傍に設けられた水中ミキサーがタイマー制御によって断続的に駆動され、その際、正転駆動および逆転駆動を組み合わせて駆動されるために、比較的比重の大きな糞塊等の異物も効率よく下水中に溶解され、沈砂槽において悪臭の発生を抑制することができる。
【図面の簡単な説明】
【図１】本発明方法が実施される沈砂槽の一例を示す平面図である。
【図２】図１のＡ−Ａ線における断面図である。
【符号の説明】
１０  沈砂槽
１１  底面
１４  沈砂排出機構
１６  水中ミキサー
１６ａ  モーター
１６ｂ  撹拌羽根
２１  流入路
２２  流出路
【図１】
0003863247.tif 000002
【図２】
0003863247.tif 000003